(57)【要約】【課題】通信端末のデフォルトルータ情報が無効になる確率を軽減する通信システム、アクセスゲートウェイ装置およびルータ広告通信制御方法を提供する。【解決手段】通信端末（５０）がデータ通信を行なうための通信路（無線ベアラ）を提供する通信システムにおいて、アクセスゲートウェイ装置（３０）が通信システムにおける通信路の有無を判定し、通信路が新たに構築された時あるいは再構築された時に通信端末（５０）へルータ広告を送信する（Ｓ１０１、Ｓ１０４）。【選択図】図５
2013070319.tif 000002
【特許請求の範囲】
【請求項１】
通信端末がデータ通信を行なうための通信路を提供する通信システムにおけるアクセスゲートウェイ装置であって、
前記通信システムにおける通信路の有無を判定する通信路判定手段と、
前記通信路が新たに構築された時あるいは再構築された時に前記通信端末へルータ広告を送信するルータ広告送信手段と、
を有することを特徴とするアクセスゲートウェイ装置。
【請求項２】
前記通信端末が前記通信路を解放している時に、前記通信システムにおけるモバイルアンカー装置から前記通信端末宛てのルータ広告を受信すると、当該ルータ広告を保持するルータ広告保持手段をさらに有し、
前記通信路が再構築された時に、前記ルータ広告送信手段が前記保持されたルータ広告を前記通信端末へ送信する、
ことを特徴とする請求項１に記載のアクセスゲートウェイ装置。
【請求項３】
通信端末起動待ちタイマを管理するタイマ管理手段を有し、前記タイマがタイムアウトした時に前記通信路を再構築させることを特徴とする請求項１または２に記載のアクセスゲートウェイ装置。
【請求項４】
前記タイマ管理手段は、前記通信路の解放あるいは前記ルータ広告の送信をトリガとして前記通信端末起動待ちタイマをスタートさせることを特徴とする請求項３に記載のアクセスゲートウェイ装置。
【請求項５】
前記通信端末に対する通信システム側からのページングにより前記通信路を再構築させることを特徴とする請求項３または４に記載のアクセスゲートウェイ装置。
【請求項６】
前記ルータ広告送信手段を制御する制御手段をさらに有し、前記ルータ広告送信手段は、前記通信端末へのルータ広告を最後に送信した時刻から所定期間が経過する前に前記通信路が再構築された時には前記ルータ広告を送信せず、前記所定期間が経過してから前記通信路が再構築された時には前記ルータ広告を送信するように制御される、ことを特徴とする請求項１−５のいずれか１項に記載のアクセスゲートウェイ装置。
【請求項７】
請求項１−６のいずれか１項に記載のアクセスゲートウェイ装置を含む通信システムにおける通信端末であって、
前記ルータ広告の受信後にルータ広告受信タイマをスタートさせるルータ広告受信タイマ管理手段と、
前記通信路を解放した後で前記ルータ広告受信タイマがタイムアウトすると、前記通信路を再構築するアクセス手段と、
を有することを特徴とする通信端末。
【請求項８】
前記ルータ広告受信タイマ管理手段は、前記ルータ広告の受信あるいは前記ルータ広告受信後の前記通信路の解放をトリガとして前記ルータ広告受信タイマをスタートさせることを特徴とする請求項７に記載の通信端末。
【請求項９】
通信端末がデータ通信を行なうための通信路を提供する通信システムにおけるアクセスゲートウェイ装置のルータ広告通信制御方法であって、
前記通信システムにおける通信路の有無を判定し、
前記通信路が新たに構築された時あるいは再構築された時に前記通信端末へルータ広告を送信する、
ことを特徴とするルータ広告通信制御方法。
【請求項１０】
通信端末が接続して通信を行なうための通信システムであって、
前記通信端末の前記通信システムへの接続を提供するアクセス手段と、
前記通信端末がデータ通信を行なうための通信路を提供するアクセスゲートウェイ手段とを有し、
前記アクセスゲートウェイ手段が
前記通信システムにおける通信路の有無を判定する通信路判定手段と、
前記通信路が新たに構築された時あるいは再構築された時に前記通信端末へルータ広告を送信するルータ広告送信手段と、
を有することを特徴とする通信システム。
【発明の詳細な説明】
【技術分野】
【０００１】
本発明は通信端末が接続してデータ通信等を行うことができる通信システムに係り、特にそのアクセスゲートウェイ装置およびルータ広告通信制御方法に関する。
【背景技術】
【０００２】
まず、一例として非特許文献１を参照し、３ＧＰＰ(3rd Generation Partnership Project) における通信システムについて簡単に説明する。非特許文献１によれば、通信システムは、evolved Node B（eNodeB）、Mobility Management Entity（MME）、Serving Gateway（Serving GW）およびPacket Data Network Gateway（PDN GW)から構成されている。なお、GWはGatewayの略である。
【０００３】
eNodeBは、Long Term Evolution（LTE）という無線アクセス方式を用いて、通信端末に通信システムへのコネクティビティを提供する無線アクセス装置である。MMEは、認証やeNodeB間ハンドオーバなど通信端末がeNodeBを介してモバイルサービスを享受するための制御を行う制御装置である。Serving GWは、通信端末がデータ通信を行うための通信路であるベアラを提供するアクセスGW装置であり、ベアラを提供するためeNodeBおよびPDN GWとパケット転送用のトンネルを構築する。PDN GWは、通信端末がパケット通信を行うための通信路であるベアラを終端するモバイルアンカー装置であり、ベアラを提供するためにServing GWとパケット転送用のトンネルを構築する。この通信システムに通信端末が接続し、IPv6アドレスを取得後、データ通信を行う。以降、簡略化のため、本明細書においてIPと表記した際にはIPv6を意味するものとする。
【０００４】
次に、図１に示すシーケンスを参照しながら、通信端末５０が通信システム（eNodeB１１０、MM１２０、Serving GW１３０およびPDN GW１４０）に接続してデータ通信を行う手順を説明する。図１において、通信端末５０は通信システムに接続するため、アタッチ処理を行う。アタッチ処理では、通信端末５０の認証やベアラの生成等の処理で構成される。詳細は非特許文献１に記載してあるので省略する。
【０００５】
通信端末５０は、アタッチ処理が完了すると、通信システムからルータ広告を受信する。ルータ広告をどの装置が送信するかは、Serving GW１３０とPDN GW１４０との間で適用されるプロトコルに依存する。Serving GW１３０とPDN GW１４０との間で、Proxy Mobile IPv6（PMIPv6）が用いられている場合はServing GW１３０が、General Packet Radio Service (GPRS) Tunneling Protocol（GTP）が用いられている場合はPDN GW１４０が、それぞれルータ広告を送信する。
【０００６】
通信端末５０はルータ広告を受信すると、Stateless address auto configurationの仕組みを用いて、ルータ広告に含まれた情報を元にIPアドレスを生成し、ルータ広告の送信元IPアドレス情報等をデフォルトルータ情報としてデフォルトルータリストに登録する。IPアドレスが生成されると、通信端末５０は外部の通信端末とデータ通信を開始する。ただし、通信端末５０がIPv6アドレスで外部の通信端末と通信する際、その内部動作としてデフォルトルータ情報を保持している間のみ外部の通信端末と可能となる。また、ルータ広告にはRouter Lifetimeという有効期間が存在する。したがって、ルータ広告を受信してからタイマが更新されずに有効期間が経過すると、そのルータ広告の情報が無効となり、対応するデフォルトルータ情報も無効となる。そのため、通信端末５０が外部の端末とのデータ通信を継続的に行うには、定期的にルータ広告を受信してタイマを更新する必要がある。
【０００７】
また、アイドル中の通信端末がタイマ更新処理を行う際の消費電力低減を図るために、通信端末がタイマ更新のためにアイドルモードからノーマルモードへ移行する必要をなくす中継装置が提案されている（特許文献１）。具体的には、移動局がアイドルモードであることを検知すると、中継装置がアイドルモードの移動局に代わってタイマ更新に必要なメッセージをサーバとの間で送受信し、移動局がノーマルモードになったときにサーバとの間でタイマ値を同期させる、という制御を行う。
【先行技術文献】
【特許文献】
【０００８】
【特許文献１】特開２００８−０３５２４８号公報
【非特許文献】
【０００９】
【非特許文献１】3GPP TR 23.401 V10.2.1“General Packet Radio Service (GPRS) enhancements for Evolved Universal Terrestrial Radio Access Network (E-UTRAN) access” [平成２３年３月２２日検索]、インターネット< http://www.3gpp.org/ftp/Specs/html-info/23401.htm>
【発明の概要】
【発明が解決しようとする課題】
【００１０】
しかしながら、通信端末５０とeNodeB１１０との間の電波状況は一時的に悪化する場合があるために、通信端末５０が定期的にルータ広告を受信できない可能性がある。ルータ広告を一定期間受信できないと、上述したように有効期間が満了して通信端末５０のデフォルトルータ情報が無効になってしまう。以下、図２を参照してこの問題について説明する。
【００１１】
図２において、通信端末５０は、当面通信を行う予定がない場合には、ルータ広告を受信すると、無線部分のベアラを解放する。無線部分のベアラは通信端末５０とeNodeB１１０との間のベアラを意味するが、通常この無線部分のベアラを解放／再構築すると、連動してeNodeB１１０とServing GW１３０との間のベアラも解放／再構築される。以下簡単のために、通信端末５０とServing GW１３０との間のベアラを無線ベアラと呼ぶことにする。
【００１２】
一定期間経過すると、Serving GW１３０またはPDN GW１４０は通信端末５０へルータ広告の送信を試みる。しかし、通信端末５０は無線ベアラを解放しているため、Serving GW１４０はルータ広告をバッファリングして、MME１２０に通信端末５０へのページングを要請して通信端末５０との無線ベアラの再構築を試みる。このとき通信端末５０が電波状況等の理由でMME１２０からのページングを検知できないと、MME１２０はページング失敗という結果をServing GW１３０に通知する。Serving GW１３０はページング失敗という結果を受け取ると、バッファリングしているルータ広告を廃棄する。その後、一定期間経過すると、通信端末５０が持っているデフォルトルータ情報の有効期間が過ぎてしまい、デフォルトルータ情報が失効してしまう。
【００１３】
また、一般的に通信システムが無線ベアラを構築していない通信端末に対してページングを行う場合、通常複数のeNodeBで構成されるトラッキングエリア（Tracking Area）単位でページングを行うので、１発のルータ広告を送信したいがために複数のeNodeBでページングが飛んでしまう。このために、該当する通信端末が在圏しないeNodeBでもページングが不必要に実行され、通信端末５０とeNodeB１１０との間の無線リソースが過剰に消費されるという問題も生じてしまう。
【００１４】
特許文献１では、上述したように、通信端末がタイマ更新のためにアイドルモードからノーマルモードへ移行する必要をなくす中継装置を設けることで、アイドル中の通信端末がタイマ更新処理を行う際の消費電力低減を図っている。しかしながら、通信端末がアイドルモードであるかノーマルモードであるかに依存して中継装置を動作させるものであり、ネットワーク側が主導する構成ではない。またネットワーク側に特別な中継装置を設ける必要がある。
【００１５】
そこで、本発明の目的は、通信端末のデフォルトルータ情報が無効になる確率を軽減する通信システム、アクセスゲートウェイ装置およびルータ広告通信制御方法を提供することにある。
【課題を解決するための手段】
【００１６】
本発明によるアクセスゲートウェイ装置は、通信端末がデータ通信を行なうための通信路を提供する通信システムにおけるアクセスゲートウェイ装置であって、前記通信システムにおける通信路の有無を判定する通信路判定手段と、前記通信路が新たに構築された時あるいは再構築された時に前記通信端末へルータ広告を送信するルータ広告送信手段と、を有することを特徴とする。
【００１７】
本発明によるルータ広告通信制御方法は、通信端末がデータ通信を行なうための通信路を提供する通信システムにおけるアクセスゲートウェイ装置のルータ広告通信制御方法であって、前記通信システムにおける通信路の有無を判定し、前記通信路が新たに構築された時あるいは再構築された時に前記通信端末へルータ広告を送信する、ことを特徴とする。
【００１８】
本発明による通信システムは、通信端末が接続して通信を行なうための通信システムであって、前記通信端末の前記通信システムへの接続を提供するアクセス手段と、前記通信端末がデータ通信を行なうための通信路を提供するアクセスゲートウェイ手段とを有し、前記アクセスゲートウェイ手段が前記通信システムにおける通信路の有無を判定する通信路判定手段と、前記通信路が新たに構築された時あるいは再構築された時に前記通信端末へルータ広告を送信するルータ広告送信手段と、を有することを特徴とする。
【００１９】
本発明によるプログラムは、通信端末がデータ通信を行なうための通信路を提供する通信システムにおけるアクセスゲートウェイ装置としてコンピュータを機能させるプログラムであって、前記通信システムにおける通信路の有無を判定する通信路判定機能と、前記通信路が新たに構築された時あるいは再構築された時に前記通信端末へルータ広告を送信するルータ広告送信機能と、を前記コンピュータに実現することを特徴とする。
【発明の効果】
【００２０】
本発明によれば、通信端末のデフォルトルータ情報が無効になる確率を軽減することができる。
【図面の簡単な説明】
【００２１】
【図１】背景技術による通信システムのルータ広告配送手順を示すシーケンス図である。
【図２】背景技術によるルータ広告配送手順の問題点を説明するためのシーケンス図である。
【図３】本発明の第１実施形態による通信システムの機能構成を概略的に示すブロック図である。
【図４】第１実施形態によるアクセスGW機能部のユーザプレーンに関する機能構成を示すブロック図である。
【図５】第１実施形態による通信システムのルータ広告配送手順を示すシーケンス図である。
【図６】本発明の第２実施形態によるアクセスGW機能部のユーザプレーンに関する機能構成を示すブロック図である。
【図７】第２実施形態による通信システムのルータ広告配送手順を示すシーケンス図である。
【図８】本発明の第３実施形態によるアクセスGW機能部のユーザプレーンに関する機能構成を示すブロック図である。
【図９】第３実施形態による通信システムのルータ広告配送手順を示すシーケンス図である。
【図１０】第３実施形態の一変形例による通信システムのルータ広告配送手順を示すシーケンス図である。
【図１１】本発明の第４実施形態によるアクセスGW機能部のユーザプレーンに関する機能構成を示すブロック図である。
【図１２】第４実施形態による通信システムのルータ広告配送手順を示すシーケンス図である。
【図１３】本発明の第５実施形態による通信システムの機能構成を概略的に示すブロック図である。
【図１４】第５実施形態の一変形例による通信システムのルータ広告配送手順を示すシーケンス図である。
【図１５】本発明の第１実施例による通信システムの機能構成を概略的に示すブロック図である。
【図１６】本発明の第２実施例による通信システムの機能構成を概略的に示すブロック図である。
【図１７】本発明の第３実施例による通信システムの機能構成を概略的に示すブロック図である。
【発明を実施するための形態】
【００２２】
本発明によれば、ユーザプレーン(U(User)-Plane)に対するアクセスGW機能部が、アクセス機能部との間のベアラの有無を監視し、当該ベアラが構築あるいは再構築された時に通信端末にルータ広告を送信する。このように通信端末が通信システムとのコネクティビティを確立している時にルータ広告の送信を試みるので、無線ベアラを解放している場合と比べて、ルータ広告が通信端末に届く確率が高くなり、ネットワーク側が主導して通信端末のデフォルトルータ情報が無効になる確率を軽減することができる。さらに、ルータ広告が届く確率が高くなるので、ページング実施の可能性が低くなり、過剰な無線リソースの消費を抑制できる。以下、本発明の実施形態および実施例について図面を参照しながら詳細に説明する。
【００２３】
１．第１実施形態
１．１）システム
図３に示すように、本発明の第１実施形態による通信システム１は、アクセス機能エンティティ１０、制御プレーンのアクセスGW機能（C-plane）エンティティ２０、ユーザプレーンのアクセスGW機能（U-plane）エンティティ３０、およびモバイルアンカー機能エンティティ４０からなる。以下、各機能エンティティを説明する場合、「エンティティ」を省略する。
【００２４】
アクセス機能１０は、無線アクセス方式を用いて、通信端末５０に通信システム１へのコネクティビティを提供する無線アクセス機能である。アクセスGW機能（C-plane）２０は、認証やアクセス機能間ハンドオーバなど、通信端末５０がアクセス機能１０を介してモバイルサービスを享受するための制御を行う制御機能である。アクセスGW機能（U-plane）３０は、通信端末５０がデータ通信を行うための通信路であるベアラを提供するアクセスGW機能である。モバイルアンカー機能４０は、通信端末５０がパケット通信を行うための通信路であるベアラを終端するモバイルアンカー機能であり、当該ベアラを提供するためアクセスGW機能（U-plane）３０との間にパケット転送用のトンネルを構築する。
【００２５】
１．２）ユーザプレーンのアクセスＧＷ機能
図４に示すように、アクセスGW機能（U-plane）３０は、ベアラ管理機能３１、パケット転送機能３２、ルータ広告送信機能３３で構成される。ただし、アクセスGW機能３０の全体的制御を行なう制御手段は図示されていない。
【００２６】
ベアラ管理機能３１は、通信端末５０がデータ通信を行うための通信路であるベアラを提供するために、アクセス機能１０およびモバイルアンカー機能４０の各々とメッセージをやり取りしてパケット転送用のトンネルを構築する機能を有する。さらにベアラ管理機能３１は、アクセス機能１０とアクセスGW機能（U-plane）３０との間のベアラを解放している通信端末のページングをアクセス機能１０に要請するページング要請機能と、通信端末毎にアクセス機能１０との間のベアラの有無を判別するベアラ有無判別機能とを具備する。
【００２７】
パケット転送機能３２は、ベアラ管理機能３１が構築したベアラを使って、通信端末５０がやり取りするデータパケットを転送する機能を有し、さらにアクセス機能１０とのベアラを解放している通信端末宛のパケットを受信した時に、その旨をベアラ管理機能３１に通知する機能を有する。
【００２８】
ルータ広告送信機能３３は、通信端末５０が新たにベアラを構築した際に通信端末５０にルータ広告を送信する機能を具備する。また、ルータ広告送信機能３３は、アクセス機能１０とアクセスGW機能（U-plane）３０との間のベアラが再構築された際に、ベアラ管理機能３１と連携して対応する通信端末５０にルータ広告を送信する機能を備える。
【００２９】
１．３）ルータ広告配送
図５を参照しながら、本実施形態の全体の動作について詳細に説明する。図５は通信端末５０が通信システム１にアクセス後、一定期間経過した後にデータ通信を行う動作を示している。
【００３０】
図５において、通信端末５０は通信システム１に接続するためにアタッチ処理を行う。アタッチ処理において通信端末５０の認証やベアラの生成等の処理が行なわれる。このとき、アクセスGW機能（U-plane）３０は、通信端末５０のためにアクセス機能１０およびモバイルアンカー機能４０とパケット転送用のトンネルを構築するため、新たにベアラを構築したことを検知できる。
【００３１】
アクセスGW機能（U-plane）３０は、アタッチ処理が完了すると、通信端末５０にルータ広告を送信する(ステップＳ１０１)。通信端末５０はルータ広告を受信すると、Stateless address auto configurationの仕組みを用いて、ルータ広告に含まれた情報を元にIPアドレスを生成すると共に、ルータ広告の送信元IPアドレス情報等をデフォルトルータ情報としてデフォルトルータリストに登録する。
【００３２】
IPアドレスの生成後、通信を行う予定がない場合には、通信端末５０は無線ベアラの解放を行う。このとき、アクセスGW機能（U-plane）３０は、通信端末５０のためにアクセス機能１０と構築していたパケット転送用のトンネルを解放するので、通信端末５０が無線ベアラを解放したことを検知できる（ステップＳ１０２）。
【００３３】
その後、通信端末５０が外部の通信端末と通信を行うために無線ベアラの再構築を行うと、アクセスGW機能（U-plane）３０は、通信端末５０のためにアクセス機能１０との間でパケット転送用のトンネルを構築するので通信端末５０が無線ベアラを再構築したことを検知できる（ステップＳ１０３）。
【００３４】
アクセスGW機能（U-plane）３０は、通信端末５０が無線ベアラを再構築したことを検知すると、通信端末５０にルータ広告を送信する（ステップＳ１０４）。通信端末５０は無線ベアラの再構築が完了するとデータ通信を実行する（ステップＳ１０５）。
【００３５】
なお、アクセスGW機能（U-plane）がルータ広告を送信するタイミングとしては、上述したように通信端末５０が新たにベアラを構築した時と無線ベアラを再構築した時の２通りを想定したが、アクセスGW機能（U-plane）３０は通信端末５０との無線ベアラを維持している場合は定期的に送信してもよい。
【００３６】
また、本実施形態において、通信端末５０が無線ベアラを再構築するトリガとして、通信端末５０から外部の通信端末に対して通信を開始する場合を例示したが、外部の通信端末から通信端末５０に対して通信が開始された時をトリガとしてもよい。この場合、通信システム１からページングを行い、それに応じる形で通信端末５０は無線ベアラの再構築を行う。
【００３７】
１．４）効果
上述したように、本発明の第１実施形態によれば、通信端末５０が無線ベアラを新たに構築／再構築した際に通信端末５０にルータ広告を送信するので、ルータ広告を送信するためだけにページングや無線ベアラの再構築を行うことなく、定期的に通信端末５０にルータ広告を送信することができる。
【００３８】
２．第２実施形態
本発明の第２実施形態が上述した第１実施形態と異なるのは、モバイルアンカー機能４０がルータ広告送信機能を有し、アクセスGW機能（U-plane）３０が通信端末５０との間で無線ベアラが再構築されるまでルータ広告をバッファリングする機能を有する点である。以下、詳述する。
【００３９】
２．１）システム
本発明の第２実施形態による通信システムについては、図３に示す通信システム１と基本的に同じシステム構成を有するので説明は省略する。本実施形態の第１実施形態に対する機能的な差分はアクセスGW機能（U-plane）３０の構成である。以下、図６を用いてアクセスGW機能（U-plane）３０の具備する機能について詳細に述べる。
【００４０】
２．２）ユーザプレーンのアクセスＧＷ機能
図６に示すように、アクセスGW機能（U-plane）３０は、既に述べたように、通信端末５０がデータ通信を行うための通信路であるベアラを提供するアクセスGW機能であるが、その具備する機能は、ベアラ管理機能３１、パケット転送機能３２、ルータ広告保持機能３４で構成される。ただし、アクセスGW機能３０の全体的制御を行なう制御手段は図示されていない。
【００４１】
ベアラ管理機能３１はルータ広告保持機能３４と連携する点を除いて、上述した第１実施形態と同じであるから詳細は省略する。
【００４２】
パケット転送機能３２は、上述した第１実施形態と同様に、ベアラ管理機能３１が構築したベアラを使って通信端末５０がやり取りするデータパケットを転送する機能と、アクセス機能１０とのベアラを解放している通信端末宛のパケットを受信した時にその旨をベアラ管理機能３１に通知する機能とを有する。さらに、本実施形態におけるパケット転送機能３２は、通信端末５０がアクセス機能１０とアクセスGW機能（U-plane）３０との間のベアラを解放している時にモバイルアンカー機能４０からパケットを受信した場合、そのパケットがルータ広告か否かを判定する機能と、ルータ広告であればルータ広告保持機能３４に通知し、ルータ広告でなければその旨をベアラ管理機能３１に通知する機能を有する。
【００４３】
ルータ広告保持機能３４は、パケット転送機能３２と連携して、ルータ広告をバッファリングする機能と、アクセス機能１０とアクセスGW機能（U-plane）３０との間のベアラが再構築されたときにベアラ管理機能３１と連携してバッファリングしている対応する通信端末のルータ広告を送信する機能とを備える。
【００４４】
モバイルアンカー機能４０は、通信端末がパケット通信を行うための通信路であるベアラを終端し、当該ベアラを提供するためにアクセスGW機能（U-plane）３０との間にパケット転送用のトンネルを構築する。また、モバイルアンカー機能４０は、通信端末５０が新たにベアラを構築した場合には通信端末５０にルータ広告を送信する機能を具備する。さらに、モバイルアンカー機能４０は、通信端末５０が新たにベアラを構築した後に、定期的にルータ広告を送信する機能も具備する。
【００４５】
２．３）ルータ広告配送
図７を参照しながら、本実施形態の全体の動作について詳細に説明する。図７は通信端末５０が通信システム１にアクセス後、一定期間経過した後にデータ通信を行う動作を示している。第１実施形態との差分は、ルータ広告を送信する機能がアクセスGW機能（U-plane）３０からモバイルアンカー機能４０に移行した点と、アクセスGW機能（U-plane）３０が通信端末５０が無線ベアラを解放している時にモバイルアンカー機能４０からルータ広告を受信すると前記ルータ広告をバッファリングする点である。
【００４６】
図７において、通信端末５０は通信システム１に接続するためアタッチ処理を行う。アタッチ処理では通信端末５０の認証やベアラの生成等の処理で構成される。モバイルアンカー機能４０は、アタッチ処理が完了すると、通信端末５０にルータ広告を送信する（ステップＳ２０１）。モバイルアンカー機能４０は、通信端末５０のためにアクセスGW機能（U-plane）３０とパケット転送用のトンネルを構築するので、新たにベアラを構築したことを検知できる。
【００４７】
通信端末５０はルータ広告を受信すると、IPアドレスを生成すると共に、デフォルトルータ情報をデフォルトルータリストに登録する。IPアドレスが生成されると、通信端末５０は、しばらく通信を行う予定がない場合には無線ベアラの解放を行う（ステップＳ２０2）。
【００４８】
その後、モバイルアンカー機能４０は、定期送信のために通信端末５０へのルータ広告を送信する（ステップＳ２０３）。アクセスGW機能（U-plane）３０はモバイルアンカー機能４０からルータ広告を受信し、それがルータ広告であること、そしてルータ広告の送信対象の通信端末５０が無線ベアラを解放していることを確認すると、当該ルータ広告をバッファリングする（ステップＳ２０４）。
【００４９】
その後、通信端末５０は外部の通信端末と通信を行うために無線ベアラの再構築を行うと（ステップＳ２０５）、アクセスGW機能（U-plane）３０は通信端末５０が無線ベアラを再構築したことを検知し、通信端末５０のためのルータ広告のバッファの有無を確認する。この例ではルータ広告を保持しているので、アクセスGW機能（U-plane）３０は保持しているルータ広告を通信端末５０へ送信する（ステップＳ２０６）。通信端末５０は無線ベアラの再構築が完了するとデータ通信を実行する（ステップＳ２０７）。なお、本実施形態は上述した第１実施形態と組み合わせることも可能である。
【００５０】
２．４）効果
本発明の第２実施形態によれば、アクセスGW機能（U-plane）３０は、通信端末５０が無線ベアラを解放している時にモバイルアンカー機能４０からルータ広告を受信すると、それをバッファリングし、通信端末５０が無線ベアラを再構築した際に当該通信端末５０にバッファリングしていたルータ広告を送信する。これによりルータ広告を送信する機能がモバイルアンカー機能に変更されても、ルータ広告を送信するためだけにページングや無線ベアラの再構築を行うことなく、定期的に通信端末にルータ広告を送信することができる。
【００５１】
３．第３実施形態
本発明の第３実施形態が上述した第１実施形態と異なるのは、アクセスGW機能（U-plane）３０が通信端末起動待ちタイマを管理し、通信端末が無線ベアラを構築しないまま通信端末起動待ちタイマがタイムアウトすると、当該通信端末に対してページングして無線ベアラを再構築させ、ルータ広告を送信する機能を有する点である。以下、詳述する。
【００５２】
３．１）システム
本発明の第３実施形態による通信システムについては、図３に示す通信システム１と基本的に同じシステム構成を有するので説明は省略する。本実施形態の第１実施形態に対する機能的な差分はアクセスGW機能（U-plane）３０の構成である。以下、図８を用いてアクセスGW機能（U-plane）３０の具備する機能について詳細に述べる。
【００５３】
３．２）ユーザプレーンのアクセスＧＷ機能
図８に示すように、アクセスGW機能（U-plane）３０は、既に述べたように、通信端末５０がデータ通信を行うための通信路であるベアラを提供するアクセスGW機能であるが、その具備する機能は、ベアラ管理機能３１、パケット転送機能３２、ルータ広告送信機能３３および通信端末起動待ちタイマ管理機能３５で構成される。ただし、アクセスGW機能３０の全体的制御を行なう制御手段は図示されていない。
【００５４】
ベアラ管理機能３１は上述した第１実施形態と同じ機能構成に加えて、通信端末起動待ちタイマ管理機能３５にアクセス機能１０とアクセスGW機能（U-plane）３０との間のベアラの解放を通知する機能を具備する。パケット転送機能３２およびルータ広告送信機能３３は、第１実施形態と同じなので、詳細は省略する。
【００５５】
通信端末起動待ちタイマ管理機能３５は通信端末起動待ちタイマを管理する。通信端末起動待ちタイマ管理機能３５は、ベアラ管理機能３１と連携して、アクセス機能１０とアクセスGW機能（U-plane）３０との間のベアラの解放をトリガとして、通信端末起動待ちタイマをスタートさせ、当該タイマが一定期間経過すると、ベアラ管理機能３１に通信端末５０に対するページングを要請する。
【００５６】
３．３）ルータ広告配送
図９を参照しながら、本実施形態の全体の動作について第１実施形態との差分を中心に説明する。第１実施形態との差分は、アクセスGW機能（U-plane）３０が、通信端末起動待ちタイマを管理し、前記タイマが一定期間経過すると、前記通信端末にページングする点である。なお、図９は通信端末５０が通信システム１にアクセス後、長時間経過してもデータ通信を行なわない動作を示している。
【００５７】
図９において、通信端末５０は通信システム１に接続するためアタッチ処理を行う。アタッチ処理が完了すると、アクセスGW機能（U-plane）３０は通信端末５０にルータ広告を送信する（ステップＳ３０１）。通信端末５０はルータ広告を受信すると、IPアドレスを生成すると共に、デフォルトルータ情報をデフォルトルータリストに登録する。通信端末５０は，IPアドレスが生成されると、しばらく通信を行う予定がないならば無線ベアラの解放を行う（ステップＳ３０２）。
【００５８】
アクセスGW機能（U-plane）３０は、通信端末５０が無線ベアラを解放したことを検知すると、通信端末起動待ちタイマをスタートさせる（ステップＳ３０３）。一定の時間が経過して通信端末５０の通信端末起動待ちタイマがタイムアウトすると（ステップＳ３０４）、アクセスGW機能（U-plane）３０は通信端末５０に無線ベアラを再構築させるためにアクセスGW機能（C-plane）２０にページング要請を行う（ステップＳ３０５）。ページングが行われると（ステップＳ３０６）、アクセスGW機能（U-plane）３０はアクセスGW機能（C-plane）２０からページング要請応答を受信し（ステップＳ３０７）、通信端末５０は無線ベアラの再構築を行う（ステップＳ３０８）。
【００５９】
アクセスGW機能（U-plane）３０は、通信端末５０が無線ベアラを再構築したことを検知すると、通信端末５０にルータ広告を送信する（ステップＳ３０９）。通信端末５０はルータ広告を受信した後、しばらく通信を行う予定がない場合には無線ベアラの解放を行う（ステップＳ３１０）。アクセスGW機能（U-plane）３０は、通信端末５０が無線ベアラを解放したことを検知すると、通信端末起動待ちタイマをリセットした後、再スタートさせる（ステップＳ３１１）。
【００６０】
３．４）変形例
本実施形態において、通信端末起動待ちタイマをスタートさせるトリガとして無線ベアラの解放を用いたが、他の処理をトリガにしても構わない。例えば図１０に示すように、ルータ広告送信（ステップＳ３０１，Ｓ３０９）をトリガとして、通信端末起動待ちタイマをスタートさせることもできる（ステップＳ３０３ａ，Ｓ３１１ａ）。
【００６１】
本実施形態において、アクセスGW機能（U-plane）３０がルータ広告を送信するタイミングとして、通信端末５０が新たにベアラを構築したときと、無線ベアラを再構築したときの２通りを想定したが、アクセスGW機能（U-plane）３０は通信端末５０が無線ベアラを維持している場合にはルータ広告を定期的に送信してもよい。
【００６２】
また、通信端末起動待ちタイマを管理する機能として、アクセスGW機能（U-plane）３０を用いたが、他の機能にしても構わない。例えば、アクセスGW機能（C-plane）２０で通信端末起動待ちタイマを管理することもできる。
【００６３】
さらに、本実施形態において、ルータ広告を送信する機能として、アクセスGW機能（U-plane）３０を用いたが、これに限定されるものではなく、例えばモバイルアンカー機能４０を使用することもできる。この場合の通信端末起動待ちタイマをスタートさせるトリガとしては、たとえば、無線ベアラの解放、ルータ広告の送信、アクセスGW機能（U-plane）３０でのルータ広告のバッファリングなどを利用することができるが、これらに限定されるものではない。
【００６４】
本実施形態において、通信端末起動待ちタイマが切れた際に、通信端末５０に無線ベアラを再構築させる方法としてページングを想定していたが、この限りではない。また本実施形態において、通信端末起動待ちタイマが切れた際に、直ちに通信端末５０に無線ベアラを再構築させたが、無線ベアラを再構築させるタイミングはこれに限定しない。なお、本実施形態は上述した第１あるいは第２実施形態と組み合わせることも可能である。
【００６５】
３．５）効果
本発明の第２実施形態によれば、通信システムで通信端末起動待ちタイマを管理し、該当する通信端末が無線ベアラを構築しないまま、前記タイマが一定期間経過すると、前記通信端末にページングするように構成しているため、通信端末がRouter Lifetimeを超えるような期間で無線ベアラを再構築しないように動作しようとしても、定期的に通信端末にルータ広告を送信することができる。
【００６６】
４．第４実施形態
本発明の第４実施形態が上述した第１実施形態と異なるのは、アクセスGW機能（U-plane）３０が、ルータ広告の最後の送信時刻からの経過時間が所定値を超えているか否かを条件としてルータ広告を送信する点である。以下、詳述する。
【００６７】
４．１）システム
本発明の第４実施形態による通信システムについては、図３に示す通信システム１と基本的に同じシステム構成を有するので説明は省略する。本実施形態の第１実施形態に対する機能的な差分はアクセスGW機能（U-plane）３０の構成である。以下、第１実施形態で用いた図４を参照して、本実施形態におけるアクセスGW機能（U-plane）３０の具備する機能について詳細に述べる。
【００６８】
４．２）ユーザプレーンのアクセスＧＷ機能
図４に示すように、アクセスGW機能（U-plane）３０は、既に述べたように、通信端末５０がデータ通信を行うための通信路であるベアラを提供するアクセスGW機能であるが、その具備する機能は、ベアラ管理機能３１、パケット転送機能３２およびルータ広告送信機能３３で構成される。ただし、アクセスGW機能３０の全体的制御を行なう制御手段は図示されていない。
【００６９】
ベアラ管理機能３１およびパケット転送機能３２は上述した第１実施形態と同じなので、詳細は省略する。
【００７０】
ルータ広告送信機能３３は、第１実施形態で具備する手段に加え、通信端末５０へのルータ広告最終送信時間を記憶する機能と、アクセス機能１０とアクセスGW機能（U-plane）３０との間のベアラが再構築した際に通信端末５０へのルータ広告最終送信時間からの経過時間を確認する機能と、通信端末５０へのルータ広告最終送信時間から一定期間経過した後であれば通信端末５０がアクセス機能１０とアクセスGW機能（U-plane）３０との間のベアラの再構築をした際に通信端末５０にルータ広告を送信する機能と、を具備する。
【００７１】
４．３）ルータ広告配送
図１１を参照しながら、本実施形態の全体の動作について第１実施形態との差分を中心に説明する。第１実施形態との差分は、アクセスGW機能（U-plane）３０が、通信端末５０へのルータ広告最終送信時間から一定期間経過して通信端末５０が無線ベアラを再構築した際に、当該通信端末５０にルータ広告を送信する点である。なお、図１１は通信端末５０が通信システム１にアクセス後、無線ベアラの解放とデータ通信を交互に繰り返す動作を示している。
【００７２】
図１１において、通信端末５０は通信システム１に接続するためアタッチ処理を行う。アクセスGW機能（U-plane）３０は、アタッチ処理が完了すると、通信端末５０にルータ広告を送信する（ステップＳ４０１）。アクセスGW機能（U-plane）３０はこのときの時間をルータ広告最終送信時刻として記憶する（ステップＳ４０２）。通信端末５０はルータ広告を受信すると、IPアドレスを生成すると共に、デフォルトルータ情報をデフォルトルータリストに登録するが、しばらく通信を行う予定がない場合には無線ベアラの解放を行う（ステップＳ４０３）。
【００７３】
しばらくして外部の通信端末とデータ通信を行う場合には、通信端末５０は無線ベアラの再構築を行う（ステップＳ４０４）。アクセスGW機能（U-plane）３０は、通信端末５０が無線ベアラを再構築したことを検知すると、記憶されている通信端末５０へのルータ広告最終送信時刻を確認する（ステップＳ４０５）。そして、このルータ広告最終送信時刻から所定時間が経過していないならば、アクセスGW機能（U-plane）３０は通信端末５０へルータ広告を送信しない。通信端末５０はデータ通信（ステップＳ４０６）が終わると、再度無線ベアラの解放を行う（ステップＳ４０７）。
【００７４】
しばらくして外部の通信端末とデータ通信を行う場合には、通信端末５０は再び無線ベアラの再構築を行う（ステップＳ４０８）。アクセスGW機能（U-plane）３０は、通信端末５０が無線ベアラを再構築したことを検知すると、通信端末５０へルータ広告を送信した最終送信時刻を確認する（ステップＳ４０９）。そして、記憶されているルータ広告最終送信時刻から所定時間が経過していれば、アクセスGW機能（U-plane）３０は通信端末５０へルータ広告を送信する（ステップＳ４１０）。そして、アクセスGW機能（U-plane）３０はこのときの時刻を当該通信端末に対するルータ広告最終送信時刻として記憶する（ステップＳ４１１）。通信端末５０はデータ通信（ステップＳ４１２）が終わると、再度無線ベアラの解放を行う（ステップＳ４１３）。
【００７５】
なお、本実施形態において、アクセスGW機能（U-plane）３０がルータ広告を送信するタイミングとして、通信端末５０が新たにベアラを構築したときと無線ベアラを再構築したときの２通りを想定したが、アクセスGW機能（U-plane）３０は通信端末５０が無線ベアラを維持している場合は定期的に送信してもよい。
【００７６】
また、本実施形態において、通信端末５０が無線ベアラを再構築するトリガとして、通信端末５０から外部の通信端末に対して通信を開始する例で説明したが、外部の通信端末から通信端末５０に対して通信を開始したことをトリガとしてもよい。この場合、通信システム１からページングを行い、それに応じる形で通信端末５０は無線ベアラの再構築を行う。
【００７７】
本実施形態は、第３実施形態における通信端末起動待ちタイマと組み合わせて使うことも可能である。特に、図１０に示す第３実施形態の変形例では通信端末起動待ちタイマをルータ広告の送信をトリガとしてスタートさせるので、本実施形態におけるルータ広告最終送信時刻から所定時間が経過したか否かを通信端末起動待ちタイマにより知ることができる。
【００７８】
４．４）効果
本発明の第４実施形態によれば、通信端末５０へのルータ広告最終送信時刻から所定の期間が経過して通信端末５０が無線ベアラを再構築した際に、当該通信端末５０にルータ広告を送信するように構成しているため、通信端末５０が頻繁に無線ベアラの解放／再構築を繰り返したとしても過剰にルータ広告を送信することを防止できる。
【００７９】
５．第５実施形態
本発明の第５実施形態が上述した第１実施形態と異なるのは、通信端末が、ルータ広告の受信からの経過時間が所定値を超えると無線ベアラを再構築してルータ広告を受信する点である。以下、詳述する。
【００８０】
５．１）システム
本発明の第４実施形態による通信システムについては、図３に示す通信システム１と基本的に同じシステム構成を有するので説明は省略する。本実施形態の第１実施形態に対する機能的な差分は通信端末の機能である。
【００８１】
図１２に示すように、本実施形態において通信端末５０ａは、通信機能５１とアクセス機能５２で構成されている。ただし、通信端末５０ａの全体的制御を行なう制御手段は図示されていない。通信機能５１は通信システム１に非依存な通信を担当している。アクセス機能５２は、アクセス機能１０を介して通信システム１と接続し、通信機能５１が外部の通信端末とデータ通信を行うためのコネクティビティを維持している。また、アクセス機能５２はルータ広告受信タイマを管理し、このタイマが一定期間経過すると、無線ベアラを再構築する機能を備える。他のエンティティは第１実施形態と同じであるから説明は省略する。
【００８２】
５．２）ルータ広告配送
図１３を参照しながら、本実施形態の全体の動作について第１実施形態との差分を中心に説明する。第１実施形態との差分は、通信端末５０の具備するアクセス機能５２がルータ広告受信タイマを管理し、このタイマが一定期間経過すると無線ベアラを再構築する点である。なお、図１３は通信端末５０が通信システム１にアクセス後、長時間経過してもデータ通信を行なわない動作を示している。
【００８３】
図１３において、通信端末５０は通信システム１に接続するためアタッチ処理を行う。アクセスGW機能（U-plane）３０は、アタッチ処理が完了すると、通信端末５０にルータ広告を送信する（ステップＳ５０１）。
【００８４】
通信端末５０はルータ広告を受信すると、通信機能５１がIPアドレスを生成すると共に、デフォルトルータ情報をデフォルトルータリストに登録し、さらにルータ広告受信タイマをスタートさせる（ステップＳ５０２）。通信端末５０はIPアドレスが生成されると、しばらく通信を行う予定がないならば無線ベアラの解放を行う（ステップＳ５０３）。
【００８５】
ルータ広告を受信してから所定時間が経過すると、通信端末５０内のアクセス機能５２の管理するルータ広告受信タイマが切れる（ステップＳ５０４）。このタイマが切れると、通信端末５０内のアクセス機能５２は無線ベアラの再構築を行う（ステップＳ５０５）。
【００８６】
アクセスGW機能（U-plane）３０は、通信端末５０が無線ベアラを再構築したことを検知すると、通信端末５０にルータ広告を送信する（ステップＳ５０６）。通信端末５０内のアクセス機能５２は、ルータ広告を受信したことを検知すると、ルータ広告受信タイマをリセットした後、再スタートさせる（ステップＳ５０７）。そして、通信端末５０はルータ広告を受信した後、しばらく通信を行う予定がないならば再び無線ベアラの解放を行う（ステップＳ５０８）。
【００８７】
５．３）変形例
本実施形態において、ルータ広告受信タイマをスタートさせるトリガとしてルータ広告の受信を用いたが、他の処理をトリガにしても構わない。例えば図１４に示すように、無線ベアラの解放（ステップＳ５０３，Ｓ５０８）をトリガとして、ルータ広告受信タイマをスタートさせることもできる（ステップＳ５０２ａ，Ｓ５０７ａ）。
【００８８】
なお、本実施形態は、第２実施形態と組み合わせて使うことも可能である。
【００８９】
５．４）効果
本発明の第５実施形態によれば、通信端末５０の具備するアクセス機能５２がルータ広告受信タイマを管理し、このタイマが一定期間経過すると、無線ベアラを再構築するように構成しているため、通信システム側で通信端末の数に依存した膨大な数のタイマの管理を行う必要がなくなる。
【００９０】
６．他の実施形態
上述した第１〜第５実施形態におけるアクセス機能１０、アクセスGW機能（C-plane）２０、アクセスGW機能（U-plane）３０およびモバイルアンカー機能４０の各エンティティは、それぞれメモリに格納されたプログラムをコンピュータ上で実行することにより同等の機能を実現することができる。同様に、通信端末５０、５０ａもメモリに格納されたプログラムをコンピュータ上で実行することにより同等の機能を実現することができる。
【００９１】
７．第１実施例
図１５に本発明の第１実施例によるシステム構成図を示す。通信システム１ａは、eNodeB１１０と、MME１２０と、Serving GW１３０と、PDN GW１４０とから構成されている。本実施例は上述した第１〜第５実施形態の全ての実施形態に対応付けることが可能である。
【００９２】
eNodeB１１０はアクセス機能１０に、MME１２０はアクセスGW機能（C-plane）２０に、Serving GW１３０はアクセスGW機能（U-plane）３０に、PDN GW１４０はモバイルアンカー機能４０に、それぞれ対応する。また、無線ベアラは通信端末５０とServing GW１３０との間のベアラに、アクセス機能１０とアクセスGW機能（U-plane）３０との間のベアラはeNodeB１１０とServing GW１３０との間のベアラに、それぞれ対応する。なお、通信端末５０の具備する通信機能５１とアクセス機能５２はそれぞれノートPC(Personal Computer)とデータ通信カードが対応する。また、通信端末５０は、無線通信端末、携帯通信端末などである。本実施例の動作は上述した各実施形態と同様であるから、その説明は省略する。
【００９３】
８．第２実施例
図１６に本発明の第２実施例によるシステム構成図を示す。通信システム１ｂは、UTRAN２１０と、SGSN２２０と、GGSN２４０とから構成されている。本実施例は第２実施形態に対応付けることが可能である。
【００９４】
UTRAN２１０は第２実施形態のアクセス機能１０に対応している。SGSN２２０はアクセスGW機能（C-plane）２０とアクセスGW機能（U-plane）３０の両方の機能を具備している。GGSN２４０はモバイルアンカー機能４０に対応する。また、無線ベアラは通信端末５０とSGSN２２０との間のベアラに、アクセス機能１０とアクセスGW機能（U-plane）との間のベアラはUTRAN２１０とSGSN２２０との間のベアラに、それぞれ対応する。なお、通信端末５０の具備する通信機能５１とアクセス機能５２はそれぞれノートPCとデータ通信カードが対応する。本実施例の動作は上述した第２実施形態と同様であるから、その説明は省略する。
【００９５】
９．第３実施例
図１７に本発明の第３実施例によるシステム構成図を示す。通信システム１ｃは、BS(Base Station)３１０と、ASN(Access Service Network)-GW３２０と、HA(Home Agent)３４０とから構成されている。本実施例は第１〜第５実施形態に対応付けることが可能である。BS３１０はアクセス機能１０に対応している。ASN-GW３２０はアクセスGW機能（C-plane）２０とアクセスGW機能（U-plane）３０の両方の機能を具備している。HA３４０はモバイルアンカー機能４０に対応する。また、無線ベアラは通信端末５０とASN-GW３２０との間のService Flowに、アクセス機能１０とアクセスGW機能（U-plane）３０との間のベアラはBS３１０とASN-GW３２０との間のトンネルに対応する。なお、通信端末５０の具備する通信機能５１とアクセス機能５２はそれぞれ、ノートPCとデータ通信カードが対応する。本実施例では、モバイルアンカー機能４０に対応する装置としてHAを仮定したが、Core Router（CR）でもよい。
【００９６】
上述した第１〜第３実施例で、３種類の通信システムにおける実施例について説明したが、本発明はこれ以外のモバイル通信システムにも適応可能である。その他のモバイル通信システムとしては、例えばThird Generation Partnership Project 2（3GPP2）で規定されたシステムが挙げられる。
【００９７】
１０．付記
上述した実施形態の一部あるいは全部は、以下の付記のようにも記載されうるが、これらに限定されるものではない。
【００９８】
（付記１）
通信端末がデータ通信を行なうための通信路を提供する通信システムにおけるアクセスゲートウェイ装置であって、
前記通信システムにおける通信路の有無を判定する通信路判定手段と、
前記通信路が新たに構築された時あるいは再構築された時に前記通信端末へルータ広告を送信するルータ広告送信手段と、
を有することを特徴とするアクセスゲートウェイ装置。
【００９９】
（付記２）
前記通信端末が前記通信路を解放している時に、前記通信システムにおけるモバイルアンカー装置から前記通信端末宛てのルータ広告を受信すると、当該ルータ広告を保持するルータ広告保持手段をさらに有し、
前記通信路が再構築された時に、前記ルータ広告送信手段が前記保持されたルータ広告を前記通信端末へ送信する、
ことを特徴とする付記１に記載のアクセスゲートウェイ装置。
【０１００】
（付記３）
通信端末起動待ちタイマを管理するタイマ管理手段を有し、前記タイマがタイムアウトした時に前記通信路を再構築させることを特徴とする付記１または２に記載のアクセスゲートウェイ装置。
【０１０１】
（付記４）
前記タイマ管理手段は、前記通信路の解放あるいは前記ルータ広告の送信をトリガとして前記通信端末起動待ちタイマをスタートさせることを特徴とする付記３に記載のアクセスゲートウェイ装置。
【０１０２】
（付記５）
前記通信端末に対する通信システム側からのページングにより前記通信路を再構築させることを特徴とする付記３または４に記載のアクセスゲートウェイ装置。
【０１０３】
（付記６）
前記ルータ広告送信手段を制御する制御手段をさらに有し、前記ルータ広告送信手段は、前記通信端末へのルータ広告を最後に送信した時刻から所定期間が経過する前に前記通信路が再構築された時には前記ルータ広告を送信せず、前記所定期間が経過してから前記通信路が再構築された時には前記ルータ広告を送信するように制御される、ことを特徴とする付記１−５のいずれか１項に記載のアクセスゲートウェイ装置。
【０１０４】
（付記７）
付記１−６のいずれか１項に記載のアクセスゲートウェイ装置を含む通信システムにおける通信端末であって、
前記ルータ広告の受信後にルータ広告受信タイマをスタートさせるルータ広告受信タイマ管理手段と、
前記通信路を解放した後で前記ルータ広告受信タイマがタイムアウトすると、前記通信路を再構築するアクセス手段と、
を有することを特徴とする通信端末。
【０１０５】
（付記８）
前記ルータ広告受信タイマ管理手段は、前記ルータ広告の受信あるいは前記ルータ広告受信後の前記通信路の解放をトリガとして前記ルータ広告受信タイマをスタートさせることを特徴とする付記７に記載の通信端末。
【０１０６】
（付記９）
通信端末がデータ通信を行なうための通信路を提供する通信システムにおけるアクセスゲートウェイ装置のルータ広告通信制御方法であって、
前記通信システムにおける通信路の有無を判定し、
前記通信路が新たに構築された時あるいは再構築された時に前記通信端末へルータ広告を送信する、
ことを特徴とするルータ広告通信制御方法。
【０１０７】
（付記１０）
前記通信端末が前記通信路を解放している時に、前記通信システムにおけるモバイルアンカー装置から前記通信端末宛てのルータ広告を受信すると、当該ルータ広告を保持し、
前記通信路が再構築された時に前記保持されたルータ広告を前記通信端末へ送信する、
ことを特徴とする付記９に記載のルータ広告通信制御方法。
【０１０８】
（付記１１）
通信端末起動待ちタイマがタイムアウトした時に前記通信路を再構築させることを特徴とする付記９または１０に記載のルータ広告通信制御方法。
【０１０９】
（付記１２）
前記通信路の解放あるいは前記ルータ広告の送信をトリガとして前記通信端末起動待ちタイマをスタートさせることを特徴とする付記１１に記載のルータ広告通信制御方法。
【０１１０】
（付記１３）
前記通信端末に対する通信システム側からのページングにより前記通信路を再構築させることを特徴とする付記１１または１２に記載のルータ広告通信制御方法。
【０１１１】
（付記１４）
前記通信端末へのルータ広告を最後に送信した時刻から所定期間が経過する前に前記通信路が再構築された時には前記ルータ広告を送信せず、前記所定期間が経過してから前記通信路が再構築された時には前記ルータ広告を送信する、ことを特徴とする付記９−１３のいずれか１項に記載のルータ広告通信制御方法。
【０１１２】
（付記１５）
通信端末がデータ通信を行なうための通信路を提供する通信システムにおける通信端末のルータ広告通信制御方法であって、
前記ルータ広告の受信後にルータ広告受信タイマをスタートさせ、
前記通信路を解放した後で前記ルータ広告受信タイマがタイムアウトすると前記通信路を再構築する、
ことを特徴とするルータ広告通信制御方法。
【０１１３】
（付記１６）
前記ルータ広告の受信あるいは前記ルータ広告受信後の前記通信路の解放をトリガとして前記ルータ広告受信タイマをスタートさせることを特徴とする付記１５に記載のルータ広告通信制御方法。
【０１１４】
（付記１７）
通信端末が接続して通信を行なうための通信システムであって、
前記通信端末の前記通信システムへの接続を提供するアクセス手段と、
前記通信端末がデータ通信を行なうための通信路を提供するアクセスゲートウェイ手段とを有し、
前記アクセスゲートウェイ手段が
前記通信システムにおける通信路の有無を判定する通信路判定手段と、
前記通信路が新たに構築された時あるいは再構築された時に前記通信端末へルータ広告を送信するルータ広告送信手段と、
を有することを特徴とする通信システム。
【０１１５】
（付記１８）
前記アクセスゲートウェイ手段が
前記通信端末が前記通信路を解放している時に、前記通信システムにおけるモバイルアンカー装置から前記通信端末宛てのルータ広告を受信すると、当該ルータ広告を保持するルータ広告保持手段をさらに有し、
前記通信路が再構築された時に前記ルータ広告送信手段が前記保持されたルータ広告を前記通信端末へ送信する、
ことを特徴とする付記１７に記載の通信システム。
【０１１６】
（付記１９）
前記アクセスゲートウェイ手段が通信端末起動待ちタイマを管理するタイマ管理手段を有し、前記タイマがタイムアウトした時に前記通信路を再構築させることを特徴とする付記１７または１８に記載の通信システム。
【０１１７】
（付記２０）
前記タイマ管理手段は、前記通信路の解放あるいは前記ルータ広告の送信をトリガとして前記通信端末起動待ちタイマをスタートさせることを特徴とする付記１９に記載の通信システム。
【０１１８】
（付記２１）
前記通信端末に対する通信システム側からのページングにより前記通信路を再構築させることを特徴とする付記１９または２０に記載の通信システム。
【０１１９】
（付記２２）
前記アクセスゲートウェイ手段が前記ルータ広告送信手段を制御する制御手段をさらに有し、前記ルータ広告送信手段は、前記通信端末へのルータ広告を最後に送信した時刻から所定期間が経過する前に前記通信路が再構築された時には前記ルータ広告を送信せず、前記所定期間が経過してから前記通信路が再構築された時には前記ルータ広告を送信するように制御される、ことを特徴とする付記１７−２１のいずれか１項に記載の通信システム。
【０１２０】
（付記２３）
前記通信端末が、
前記ルータ広告の受信後にルータ広告受信タイマをスタートさせるルータ広告受信タイマ管理手段と、
前記通信路を解放した後で前記ルータ広告受信タイマがタイムアウトすると、前記通信路を再構築するアクセス手段と、
を有する、ことを特徴とする付記１７−２２のいずれか１項に記載の通信システム。
【０１２１】
（付記２４）
前記ルータ広告受信タイマ管理手段は、前記ルータ広告の受信あるいは前記ルータ広告受信後の前記通信路の解放をトリガとして前記ルータ広告受信タイマをスタートさせることを特徴とする付記２３に記載の通信システム。
【０１２２】
（付記２５）
通信端末がデータ通信を行なうための通信路を提供する通信システムにおけるアクセスゲートウェイ装置としてコンピュータを機能させるプログラムであって、
前記通信システムにおける通信路の有無を判定する通信路判定機能と、
前記通信路が新たに構築された時あるいは再構築された時に前記通信端末へルータ広告を送信するルータ広告送信機能と、
を前記コンピュータに実現することを特徴とするプログラム。
【０１２３】
（付記２６）
前記通信端末が前記通信路を解放している時に、前記通信システムにおけるモバイルアンカー装置から前記通信端末宛てのルータ広告を受信すると、当該ルータ広告を保持するルータ広告保持機能をさらに前記コンピュータに実現し、前記通信路が再構築された時に、前記ルータ広告送信手段が前記保持されたルータ広告を前記通信端末へ送信する、ことを特徴とする付記２５に記載のプログラム。
【０１２４】
（付記２７）
通信端末起動待ちタイマを管理するタイマ管理機能をさらに前記コンピュータに実現し、前記タイマがタイムアウトした時に前記通信路を再構築させることを特徴とする付記２５または２６に記載のプログラム。
【０１２５】
（付記２８）
前記タイマ管理機能は、前記通信路の解放あるいは前記ルータ広告の送信をトリガとして前記通信端末起動待ちタイマをスタートさせることを特徴とする付記２７に記載のプログラム。
【０１２６】
（付記２９）
前記通信端末に対する通信システム側からのページングにより前記通信路を再構築させることを特徴とする付記２７または２８に記載のプログラム。
【０１２７】
（付記３０）
前記ルータ広告送信機能は、前記通信端末へのルータ広告を最後に送信した時刻から所定期間が経過する前に前記通信路が再構築された時には前記ルータ広告を送信せず、前記所定期間が経過してから前記通信路が再構築された時には前記ルータ広告を送信するように制御される、ことを特徴とする付記２５−２９のいずれか１項に記載のプログラム。
【０１２８】
（付記３１）
付記２５−３０のいずれか１項に記載の通信システムにおける通信端末として端末コンピュータを機能させるプログラムであって、
前記ルータ広告の受信後にルータ広告受信タイマをスタートさせるルータ広告受信タイマ管理機能と、
前記通信路を解放した後で前記ルータ広告受信タイマがタイムアウトすると、前記通信路を再構築するアクセス機能と、
を前記端末コンピュータに実現することを特徴とするプログラム。
【０１２９】
（付記３２）
前記ルータ広告受信タイマ管理機能は、前記ルータ広告の受信あるいは前記ルータ広告受信後の前記通信路の解放をトリガとして前記ルータ広告受信タイマをスタートさせることを特徴とする付記３１に記載のプログラム。
【産業上の利用可能性】
【０１３０】
本発明は、携帯電話などの無線通信のみならず、各種の通信端末が利用するコンピュータネットワークを利用した通信システム全般において適用可能である。
【符号の説明】
【０１３１】
１、１ａ、１ｂ，１ｃ    通信システム
１０  アクセス機能エンティティ
２０  アクセスGW機能（C-plane）エンティティ
３０  アクセスGW機能（U-plane）エンティティ
３１  ベアラ管理機能エンティティ
３２  パケット転送機能エンティティ
３３  ルータ広告送信機能エンティティ
３４  ルータ広告保持機能エンティティ
３５  通信端末起動待ちタイマ管理機能エンティティ
４０  モバイルアンカー機能エンティティ
５０、５０ａ  通信端末
５１  通信機能エンティティ
５２  アクセス機能エンティティ
【図１】
2013070319.tif 000003
【図２】
2013070319.tif 000004
【図３】
2013070319.tif 000005
【図４】
2013070319.tif 000006
【図５】
2013070319.tif 000007
【図６】
2013070319.tif 000008
【図７】
2013070319.tif 000009
【図８】
2013070319.tif 000010
【図９】
2013070319.tif 000011
【図１０】
2013070319.tif 000012
【図１１】
2013070319.tif 000013
【図１２】
2013070319.tif 000014
【図１３】
2013070319.tif 000015
【図１４】
2013070319.tif 000016
【図１５】
2013070319.tif 000017
【図１６】
2013070319.tif 000018
【図１７】
2013070319.tif 000019